(57)【要約】【課題】尿試験の検査情報を有効に活用することができる尿試験情報取得装置等を提供すること。【解決手段】尿と接触することにより複数種類の色調に変化する色調変化部１１ａ、１１ｂと、この色調変化部の複数種類の色調変化情報と、生体情報の測定値との対応関係を示す複数の色調変化基準情報２０と、を共に撮像するための撮像装置１０２を有し、撮像装置で撮像された色調変化情報と色調変化基準情報と比較し、当該色調変化情報に対応する当該色調変化基準情報を特定する尿試験情報取得装置１００。【選択図】図１
2015187562.tif 000002
【特許請求の範囲】
【請求項１】
尿と接触することにより複数種類の色調に変化する色調変化部と、この色調変化部の複数種類の色調変化情報と、生体情報の測定値との対応関係を示す複数の色調変化基準情報と、を共に撮像するための撮像装置を有し、
前記撮像装置で撮像された前記色調変化情報と前記色調変化基準情報を記憶し、前記色調変化情報を前記色調変化基準情報と比較し、当該前記色調変化情報に対応する当該前記色調変化基準情報を特定する構成となっていることを特徴とする尿試験情報取得装置。
【請求項２】
各種情報を表示する表示部を有し、
複数の前記色調変化基準情報を前記表示部に表示させることができる構成となっていることを特徴とする請求項１に記載の尿試験情報取得装置。
【請求項３】
前記撮像装置で撮像した前記色調変化情報を前記色調変化基準情報と比較し、前記色調変化情報が正常範囲を逸脱しているか否かを判断し、正常範囲を逸脱しているときは、その旨を各種情報を表示する表示部に表示する構成となっていることを特徴とする請求項１乃至請求項２のいずれか１項に記載の尿試験情報取得装置。
【請求項４】
前記撮像装置による撮像は、所定時間経過後に実行され、この所定時間は、生体情報毎に異なる時間が設定されていることを特徴とする請求項１乃至請求項３のいずれか１項に記載の尿試験情報取得装置。
【請求項５】
前記尿試験情報取得装置と、前記色調変化部を備える試験紙と、この試験紙を収容する試験紙収容部と、前記試験紙収容部を収容する包装部と、を有する尿試験紙情報管理システムであって、
前記試験紙収容容器の表面には、判定用情報が配置され、この判定用情報には、試験紙を配置するための試験紙配置部と、この試験紙の前記色調変化基準情報が表示され、前記包装箱には、前記試験紙収容容器を配置する容器配置部が形成されると共に、前記容器配置部に前記試験紙収容容器を配置したときに、前記判定用情報の前記試験紙配置部に前記試験紙を配置可能な試験紙保持部が前記包装箱に形成されていることを特徴とする請求項１乃至請求項４のいずれか１項に記載の前記尿試験情報取得装置を備える尿試験情報管理システム。
【発明の詳細な説明】
【技術分野】
【０００１】
本発明は、例えば、尿試験紙等で得られた情報を管理する尿試験情報取得装置及び尿試験情報管理システムに関するものである。
【背景技術】
【０００２】
従来より、腎臓病や糖尿病等の診断のために、尿たん白や尿糖の値を検査することは有効であることが知られている。そして、患者が、これらの検査を自宅等で簡易に行うための検査具として尿試験紙が広く用いられている（例えば、特許文献１）。
このような尿試験紙は、薬剤等が配置されている反応部を有し、この反応部に患者が尿をかけ、所定時間が経過した後の反応部の色調の変化（呈色反応）により、尿たん白や尿糖の値がどのようであるかを測定しようとするものである。
【先行技術文献】
【特許文献】
【０００３】
【特許文献１】特開平９−１０５７４７号公報
【発明の概要】
【発明が解決しようとする課題】
【０００４】
しかし、色調の変化による尿たん白等の値は、基準となる複数表示された色調と比較して判断するものであるため、色調の変化による判断に慣れていない患者にとって困難な場合が多く、折角、尿試験紙で検査しても、その結果を有効に活用することができ難いという問題があった。
【０００５】
そこで、本発明は、尿試験の検査情報を有効に活用することができる尿試験情報取得装置及び尿試験情報管理システムを提供することを目的とする。
【課題を解決するための手段】
【０００６】
上記目的は、本発明にあっては、尿と接触することにより複数種類の色調に変化する色調変化部と、この色調変化部の複数種類の色調変化情報と、生体情報の測定値との対応関係を示す複数の色調変化基準情報と、を共に撮像するための撮像装置を有し、前記撮像装置で撮像された前記色調変化情報と前記色調変化基準情報を記憶し、前記色調変化情報を前記色調変化基準情報と比較し、前記色調変化情報に対応する前記色調変化基準情報を特定する構成となっていることを特徴とする尿試験情報取得装置により達成される。
【０００７】
前記構成によれば、色調変化情報を色調変化基準情報と比較し、色調変化情報に対応する色調変化基準情報を特定する構成となっているので、色調変化情報に基づき、当該尿たん白等の生体情報を測定値情報等を特定でき、この情報を医師等に参考情報として提供することが可能となる。
【０００８】
好ましくは、各種情報を表示する表示部を有し、複数の前記色調変化基準情報を前記表示部に表示させることができる構成となっていることを特徴とする。
【０００９】
前記構成によれば、各種情報を表示する表示部を有し、複数の色調変化基準情報を表示部に表示させることができる構成となっている。
すなわち、複数の色調変化基準情報が表示部に比較的大きく、かつ明確に表示されるので、被検者等は、色調変化部の色調変化情報が、どの色調変化基準情報に該当するかを判断しやすい。
【００１０】
好ましくは、前記撮像装置で撮像した前記色調変化情報を前記色調変化基準情報と比較し、前記色調変化情報が正常範囲を逸脱しているか否かを判断し、正常範囲を逸脱しているときは、その旨を各種情報を表示する表示部に表示する構成となっていることを特徴とする。
【００１１】
前記構成によれば、撮像装置で撮像した色調変化情報を色調変化基準情報と比較し、尿糖等の色調変化情報が正常範囲を逸脱しているか否かを判断し、正常範囲を逸脱しているときは、その旨（尿糖が高いこと等）を各種情報を表示する表示部に表示する構成となっているので、尿試験を行った被験者に迅速に高尿糖等の異変等を伝えることができ、病院等へ行くことを促すことが可能となる。
【００１２】
好ましくは、前記撮像装置による撮像は、所定時間経過後に実行され、この所定時間は、生体情報毎に異なる時間が設定されていることを特徴とする。
【００１３】
前記構成によれば、撮像装置による撮像は、所定時間経過後に実行され、この所定時間は、生体情報毎に異なる時間が設定されている。
すなわち、例えば、尿たん白の場合は、１０秒経過後に実行されるが、尿糖の場合は３０秒後に実施される。このように尿と接触させた色調変化部が尿たん白等の当該生体情報の判定に最適となるまで、その撮像を待ち、最適なタイミングで撮像することで、医師等による精度の高い判断が可能となる。
【００１４】
好ましくは、前記尿試験情報取得装置と、前記色調変化部を備える試験紙と、この試験紙を収容する試験紙収容部と、前記試験紙収容部を収容する包装部と、を有する尿試験紙情報管理システムであって、前記試験紙収容容器の表面には、判定用情報が配置され、この判定用情報には、試験紙を配置するための試験紙配置部と、この試験紙の前記色調変化基準情報が表示され、前記包装箱には、前記試験紙収容容器を配置する容器配置部が形成されると共に、前記容器配置部に前記試験紙収容容器を配置したときに、前記判定用情報の前記試験紙配置部に前記試験紙を配置可能な試験紙保持部が前記包装箱に形成されていることを特徴とする。
【００１５】
前記構成によれば、包装箱には、試験紙収容容器を配置する容器配置部が形成されると共に、容器配置部に試験紙収容容器を配置したときに、判定用情報の試験紙配置部に試験紙を配置可能な試験紙保持部が包装箱に形成されている。
したがって、被験者は、包装箱の配置部に試験紙収容容器を配置した状態で、試験紙の色調変化部に尿を接触させた後、この試験紙を包装箱の試験紙保持部で保持させた状態で、試験紙の色調変化部は、試験紙配置部に配置される。
このため、この状態で、被験者は、試験紙等を保持する必要なく、尿試験情報取得装置の撮像装置で色調変化部等を撮像することができ、被験者にとって撮像し易い構成となっている。
【発明の効果】
【００１６】
以上説明したように、本発明によれば、尿試験の検査情報を有効に活用することができる尿試験情報取得装置及び尿試験情報管理システムを提供することができる。
【図面の簡単な説明】
【００１７】
【図１】本発明の尿試験情報管理システムを示す概略図である。
【図２】測定値対応色調表等を示す概略図である。
【図３】図１に示す尿検査用スティックを複数、例えば、１０枚収容するための試験紙収容部である例えば、容器と、この容器を収容する包装部である例えば、包装箱を示す概略図である。
【図４】尿検査用スティックを判定用情報の尿検査用スティック配置部に配置した状態を示す概略斜視図である。
【図５】図１の管理サーバの主な構成を示す概略ブロック図である。
【図６】図１のカメラ付き携帯端末の主な構成を示す概略ブロック図である。
【図７】本実施の形態にかかる尿試験情報管理システムの動作例等を示す概略フローチャートである。
【図８】本実施の形態にかかる尿試験情報管理システムの動作例等を示す他の概略フローチャートである。
【図９】図６の「端末側個人情報記憶部」に記憶されている端末側個人情報を示す概略図である。
【発明を実施するための形態】
【００１８】
以下、この発明の好適な実施の形態を、添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１は、本発明の尿試験情報管理システム１を示す概略図である。
図１に示すように、尿試験情報管理システム１は、試験紙である例えば、尿試験用スティック１０を有している。
この尿試験用スティック１０は、被験者自身が直接尿をかけるか、被験者が紙コップ等の容器に採取した尿に浸漬（接触）させることで、呈色反応させ色調が変化（呈色）する色調変化部である例えば、尿たん白試験紙１１ａと尿糖試験紙１１ｂを所定の間隔を設けて配置している。
【００２０】
この尿たん白試験紙１１ａは、例えば、テトラブロムフェノールブルーを含み、尿に含まれる尿たん白の量に応じて異なる色調に変化する構成となっている。
また、尿糖試験紙１１ｂは、例えば、グルコースオキシダーセ、ベルオキシターゼ、Ｇ―トリジンを含み、尿に含まれる尿糖の量に応じて異なる色調に変化する構成となっている。
【００２１】
このように、尿たん白試験紙１１ａ及び尿糖試験紙１１ｂは、被験者等の尿との呈色反応で、その色調が変化するが、この変化した色調から、当該尿たん白試験紙１１ａ及び尿糖試験紙１１ｂにおける尿たん白量（ｍｇ／ｄＬ）や尿糖量（ｍｇ／ｄＬ）を測定することになる。
このため、尿検査用スティック１０とは、別に、尿たん白試験紙１１ａ及び尿糖試験紙１１ｂが尿と接触することで変化した色調（色調変化情報の一例）が示す尿たん白量及び尿糖量を記載した色調変化基準情報である例えば、測定値対応色調表２０が必要となる。
【００２２】
図２は、測定値対応色調表２０等を示す概略図である。図２に示すように、測定値対応色調表２０は、例えば、それぞれ５個ずつの異なる色の色調２０ａ乃至２０ｅ、２０ｆ乃至２０ｊが上下に平行に印刷されている。
具体的には、図２の上段の５個の色調２０ａ乃至２０ｅは、生体情報である例えば、尿たん白の量を示す色調２０ａ等となる。すなわち、尿検査用スティック１０の尿たん白試験紙１１ａの色が２０ａの色調の色と同じ場合は、尿たん白量は０〜検出限界以下（対応する色調表の記号：「−」）となり、色調２０ｂの色と同じ場合は１５ｍｇ／ｄＬ（対応する色調表の記号：「±」）、色調２０ｃの色と同じ場合は、３０ｍｇ／ｄＬ（対応する色調表の記号：「＋」）、色調２０ｄの色と同じ場合は、１００ｍｇ／ｄＬ（対応する色調表の記号：「＋＋」）、そして、色調２０ｅの色と同じ場合は、２５０ｍｇ／ｄＬ（対応する色調表の記号：「＋＋＋」）であると測定することができる構成となっている。こうして、測定された尿中の尿たん白量（ｍｇ／ｄＬ）がどの程度であるかを容易に確認できる。
【００２３】
また、図２の下段の５個の色調２０ｆ乃至２０ｊは、尿糖の量を示す色調２０ｆ等となる。すなわち、尿検査用スティック１０の尿糖試験紙１１ｂの色が２０ｆの色調の色と同じ場合は、尿糖量は０〜検出限界以下（対応する色調表の記号：「−」）となり、色調２０ｇの色と同じ場合は５０ｍｇ／ｄＬ（対応する色調表の記号：「±」）、色調２０ｈの色と同じ場合は、１００ｍｇ／ｄＬ（対応する色調表の記号：「＋」）、色調２０ｉの色と同じ場合は、２５０ｍｇ／ｄＬ（対応する色調表の記号：「  」）、そして、色調２０ｊの色と同じ場合は、５００ｍｇ／ｄＬ（対応する色調表の記号：「＋＋」）であると測定することができる構成となっている。こうして、測定された尿糖量（ｍｇ／ｄＬ）がどの程度であるかを容易に確認できる。
【００２４】
このように、図１の尿試験用スティック１０は、図２に示す測定値対応色調表２０と共に使用することで、初めて、尿たん白量や尿糖量を測定することができるため、以下のような形態で取り扱われる。
図３は、図１に示す尿検査用スティック１０を複数、例えば、１０枚収容するための試験紙収容部である例えば、紙、プラスチック製の容器３１と、この容器３１を収容する包装部である例えば、包装箱３０を示す概略図である。
また、図３に示すように、容器３１の表面には、上述の測定値対応色調表（色調表の記号を含む）２０を含む判定用情報３２が印刷されている。
上述した測定値対応色調表２０を除く他の判定用情報３２を図２を用いて説明する。
【００２５】
図２に示すように、判定用情報３２は、図１に示す尿検査用スティック１０を配置する部分を示す試験紙配置部である例えば、尿検査用スティック配置部３３が印刷されている。具体的には、尿検査用スティック１０の尿たん白試験紙１１ａ及び尿糖試験紙１１ｂを配置する部分が明示されている。このため、被験者等が、この印刷された尿検査用スティック配置部３３に直接尿をかけるか、被験者が紙コップ等の容器に採取した尿に浸漬（接触）させた尿検査用スティック１０の尿たん白試験紙１１ａ及び尿糖試験紙１１ｂを配置し、これらの試験紙の色を測定値対応色調表２０の各色調２０ａ等と比較することができる構成となっている。
【００２６】
さらに、本実施の形態では、図４に示すように、尿検査用スティック１０を配置することが可能な構成となっている。図４は、尿検査用スティック１０を判定用情報３２の尿検査用スティック配置部３３に配置した状態を示す概略斜視図である。
図４に示すように、包装箱３０は、その一部を変形させることで、容器３１を、その判定用情報３２を上面に、安定的に配置する容器配置部３５を形成することができる構成となっている。
また、図４に示すように、包装箱３０には、尿検査用スティック１０を容器３１の判定用情報３２の尿検査用スティック配置部３３に固定配置可能な試験紙保持部である例えば、尿検査用スティック保持部３６が形成されている。
この尿検査用スティック保持部３６は、例えば、尿検査用スティック１０を挿入し、固定配置可能な穴部となっており、この穴部に尿検査用スティック１０の一端部を配置させることで、図４に示すように、尿検査用スティック１０を尿検査用スティック配置部３３に精度良く配置可能な構成となっている。
【００２７】
具体的には、図１の尿検査用スティック１０の尿たん白試験紙１１ａ及び尿糖試験紙１１ｂが、それぞれ、図２の尿検査用スティック配置部３３の尿たん白試験紙配置部３３ａ及び尿糖試験紙配置部３３ｂに対応するように配置される。
したがって、被験者等（被験者自身、被験者の介護者、あるいは看護師等の医療従事者）は、尿検査用スティック１０の尿たん白試験紙１１ａ及び尿糖試験紙１１ｂの色調と、測定値対応色調表２０の色調とを対比し易い構成となっている。
特に、後述のように、尿試験情報取得装置である例えば、カメラ付き携帯端末１００を用いて、これら尿検査用スティック１０の尿たん白試験紙１１ａ及び尿糖試験紙１１ｂの色調と、測定値対応色調表２０の色調を撮像するときは、被験者が尿検査用スティック１０を把持することなく、撮像動作をすることができるので、撮像し易いという効果も発揮する。
【００２８】
ところで、本実施の形態の尿試験情報管理システム１は、図１に示す、カメラ機能を有し、通信が可能なカメラ付き携帯端末１００を有している。
図１に示す、カメラ付き携帯端末１００は、表示部である例えば、カラー表示する端末側ディスプレイ１０１を備えると共に、基地局２及びインターネット網３を介して、例えば、薬局等に配置される尿試験情報管理装置である例えば、管理サーバ２００と通信可能な構成となっている。
また、カメラ付き携帯端末１００の撮像装置である例えば、カメラ（撮像装置）１０２は、例えば、１３００万画素程度となっており、尿検査用スティック１０の尿たん白試験紙１１ａ及び尿糖試験紙１１ｂの色調と、測定値対応色調表２０の色調を精度良く撮像可能な構成となっている。
【００２９】
図１に示すカメラ付き携帯端末１００及び管理サーバ２００は、それぞれコンピュータを有し、これらのコンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続され、カメラ付き携帯端末１００全体の動作・制御を行う。
カメラ付き携帯端末１００のＣＰＵは、後述するアプリケーションソフトウエアの制御も行う。更には、管理サーバ２００の尿試験情報管理に関するソフトウエアの起動・制御も行うことができる。
【００３０】
図５は、図１の管理サーバ２００の主な構成を示す概略ブロック図である。
図５に示すように、管理サーバ２００は、「管理サーバ制御部２０１」を有し、管理サーバ制御部２０１は、カメラ付き携帯端末１００等と通信するための「管理サーバ側通信装置２０２」、各種情報を表示する「管理サーバ側ディスプレイ２０３」及び各種情報を入力するキーボード等の管理サーバ側入力装置２０４を制御する構成となっている。
また、管理サーバ制御部２０１は、図５の管理サーバ側個人情報記憶部２０５も制御するが、この内容については後述する。
【００３１】
図６は、図１のカメラ付き携帯端末１００の主な構成を示す概略ブロック図である。
図６に示すように、カメラ付き携帯端末１００は、「端末制御部１０３」を有し、端末制御部１０３は、管理サーバ２００等と通信するための「端末側通信装置１０４」、端末側ディスプレイ１０１、カメラ１０２、計時装置１０５及び各種情報を入力する「端末側入力装置１０６」等を制御する構成となっている。
また、端末制御部１０３は、図６に示す各種記憶部等も制御するが、この内容については後述する。
【００３２】
図７及び図８は、本実施の形態にかかる尿試験情報管理システム１の動作例等を示す概略フローチャートである。
以下、本フローチャートに沿って動作を説明すると共に、図１乃至図６等の構成についても説明する。
【００３３】
先ず、本実施の形態では、図１のカメラ付き携帯端末１００に、本実施の形態にかかる尿試験情報管理システム１を動作させるためのアプリケーションソフトウエアをダウンロード等させる。
具体的には、カメラ１０２で撮像する尿検査用スティック１０の尿たん白試験紙１１ａ及び尿糖試験紙１１ｂの色調及び測定値対応色調表２０の色調の画像データを取得すると共に、管理サーバ２００へ送信等するためのアプリケーションである。
本実施の形態では、先ず、尿たん白と尿糖の測定をしようとする被験者が、図３に示す包装箱３０と容器３１を用意する。次いで、包装箱３０の一部を変形させ、図４に示すように容器配置部３５を形成する。
また、容器３１は、その表面に印刷されている判定用情報３２が上面に位置するように、容器配置部３５に配置される。
【００３４】
この状態で、図７のステップＳＴ（以下「ＳＴ」とする。）１へ進む。ＳＴ１では、被験者が図１のカメラ付き携帯端末１００にダウンロードされ、インストールされているアプリケーションを起動させる。
また、図１の尿検査用スティック１０の尿たん白試験紙１１ａ及び尿糖試験紙１１ｂに、被験者自身の尿を直接尿をかけるか、紙コップ等の容器に採取した尿に浸漬（接触）させた後、被験者自身又は看護師等の医療従事者が、この尿検査用スティック１０を、図４に示すように、包装箱３０の尿検査用スティック保持部３６の穴部に挿入し、尿検査用スティック１０を判定用情報３２の尿検査用スティック配置部３３に配置させる。
これにより、尿検査用スティック１０の尿たん白試験紙１１ａ及び尿糖試験紙１１ｂは、それぞれ、図２の判定用情報３２の尿たん白試験紙配置部３３ａ及び尿糖試験紙配置部３３ｂに精度良く配置される。
【００３５】
次いで、ＳＴ２へ進む。ＳＴ２では、被験者（または看護師等の医療従事者）がカメラ付き携帯端末１００のカメラ１０２を起動し、端末側ディスプレイ１０１に示される撮像領域に、図４に示すように配置さされている尿検査用スティック１０の尿たん白試験紙１１ａ及び尿糖試験紙１１ｂと判定用情報３２の図２に示す、色調変化基準情報や色調表の記号情報を含む測定値対応色調表２０が含まれるように操作し、シャッターを押す。
このとき、本実施の形態では、図４に示すように、尿検査用スティック１０は、包装箱３０の尿検査用スティック保持部３６に保持され、精度良く図２の尿検査用スティック配置部３３に配置されるので、被験者は、尿検査用スティック１０を判定用情報３２上に手で持ちながら配置させつつ、カメラ付き携帯端末１００の操作をする必要がない。すなわち、カメラ付き携帯端末１００の操作のみに専念することができるので、当該写真を撮像し易い構成となっている。
【００３６】
次いで、ＳＴ３へ進む。ＳＴ３では、カメラ付き携帯端末１００が図６に示す計時装置１０５を参照して、所定の呈色反応（即ち、色調変化情報）が出る（発現）までの経過時間（秒）、ここでは１０秒経過したか否かを判断する。
ＳＴ３で、１０秒経過したときは、ＳＴ４へ進む。ＳＴ４では、カメラ１０２が自動またはマニュアル操作により動作し、撮像する。そして、このカメラが撮像した画像データ（尿検査用スティック１０の尿たん白試験紙１１ａ等の色調（色調変化情報の一例）並びに判定用情報３２で、測定値対応色調表２０等）を図６の「端末側個人情報記憶部１０７」に「尿たん白情報」として、その撮像日時情報と共に記憶させる。
この時、入力キー（不図示）として、端末側ディスプレイ１０１に、色調表の記号（「−」、「±」、「＋」、「＋＋」、「＋＋＋」）を表示させ、該当する色調表の記号を記憶させるようにしてもよい。
【００３７】
図９は、図６の「端末側個人情報記憶部１０７」に記憶されている端末側個人情報１０７ａを示す概略図である。
図９に示すように、「尿たん白情報」には、撮像された尿検査用スティック１０の尿たん白試験紙１１ａ等の色調及び測定値対応色調表２０等がカラー（色彩付き）で記憶される。併せて、いわゆるタイムスタンプと称される測定日時情報が、好ましくは秒単位で記憶される（図９の例では、２０１４年１月１０日１３時３０分３０秒）。更に好ましくは、個人識別情報として、患者（被検者）の氏名も含む。
このとき、カメラ１０２は、その画素数が１３００万画素となっているため、鮮明な画像情報として記憶されることになる。
【００３８】
また、尿たん白情報としては、尿を「尿たん白試験紙１１ａ」に接触させた後、１０秒後の色調が最も適切な尿たん白値を示すため、本実施の形態は、最適なタイミングにおける尿たん白試験紙１１ａの色調を端末側個人情報１０７ａに記憶させることができる。
【００３９】
なお、本実施の形態では、カメラ１０２の撮像タイミングを自動的に制御したが、本実施の形態は、これに限らず、端末側ディスプレイ１０１に１０秒をカウント（カウントダウン又はカウントアップ）する表示をし、被験者にシャッターを切るタイミングを報知する構成としても構わない。
【００４０】
次いで、ＳＴ５へ進む。ＳＴ５では、カメラ付き携帯端末１００が図６に示す計時装置１０５を参照して、３０秒経過したか否かを判断する。
ＳＴ５で、３０秒経過したときは、ＳＴ６へ進む。ＳＴ６では、カメラ１０２が自動またはマニュアル操作により動作し、撮像する。そして、このカメラが撮像した画像データ（尿検査用スティック１０の尿糖試験紙１１ｂ等の色調（色調変化情報の一例）並びに判定用情報３２の測定値対応色調表２０等）を図９の「端末側個人情報１０７ａ」に「尿糖情報」として、その撮像日時情報と共に記憶させる。
図９に示すように、「尿糖情報」には、撮像された尿検査用スティック１０の尿糖試験紙１１ａ等の色調及び測定値対応色調表２０等がカラー（色彩付き）で記憶される。併せて、いわゆるタイムスタンプと称される測定日時情報が、好ましくは秒単位で記憶される（図９の例では、２０１４年１月１０日１３時３０分３０秒）。
このとき、カメラ１０２は、上述のように、その画素数が１３００万画素となっているため、鮮明な画像情報として記憶されることになる。
【００４１】
また、尿糖情報としては、尿を「尿糖試験紙１１ｂ」に直接かけるか、「尿糖試験紙１１ｂ」を、紙コップ等の容器に採取した尿に浸漬（接触）するかさせた後、所定の呈色反応が出るまでの経過時間（秒）、ここでは３０秒後の色調が最も適切な尿たん白値を示すため、本実施の形態は、最適なタイミングにおける尿糖試験紙１１ａの色調を端末側個人情報１０７ａに記憶させることができる。
この時、入力キー（不図示）として、端末側ディスプレイ１０１に、色調表の記号（「−」、「±」、「＋」、「＋」、「  」、「＋＋」）を表示させ、該当する色調表の記号を記憶させるようにしてもよい。
【００４２】
なお、本実施の形態では、カメラ１０２の撮像タイミングを自動的に制御したが、本実施の形態は、これに限らず、端末側ディスプレイ１０１に３０秒をカウント（カウントダウン又はカウントアップ）する表示をし、被験者（または看護師等の医療従事者）にシャッターを切るタイミングを報知する構成としても構わない。
【００４３】
次いで、ＳＴ７へ進む。ＳＴ７では、図６の「尿たん白色調判断部（プログラム）１０８」が動作し、図９の端末側個人情報１０７ａの「尿たん白情報」の「尿たん白試験紙１１ａ」の色調と「測定値対応色調表２０」の色調２０ａ乃至２０ｅとを比較し、色調２０ａ乃至２０ｅのいずれかの色調が最も近いかを判断する。そして、最も近い特定された色調２０ａ等を、端末側個人情報１０７ａの尿たん白情報の色調情報に記憶させる。
【００４４】
このように、本実施の形態では、被験者自身が直接尿をかけるか、紙コップ等の容器に採取した尿に浸漬（接触）させた後、被験者自身又は看護師等の医療従事者が、尿たん白試験紙１１ａの色調と最も近い色調２０ａ等を自動的に選択判断する。これら各色調２０ａ等は、図２に示すように、その尿たん白値と関連付けられているので、色調２０ａ等を判断することで、尿たん白の値も自動的に特定することが可能となっている。
この特定された尿たん白の測定値は、後述するように、管理サーバ２００へ送信され、専門家である医師や薬剤師等の判断の参考とされる。
【００４５】
なお、本実施の形態では、カメラ付き携帯端末１００が、尿たん白試験紙１１ａの色調と最も近い色調２０ａ等を測定値対応色調表２０から自動的に選択している。しかし、本発明はこれに限らず、カメラ付き携帯端末１００の端末側ディスプレイ１０１に、尿たん白試験紙１１ａの色調及び測定値対応色調表２０の色調２０ａ等を同時に、又は各色調２０ａ等を各別に順番に表示し、この表示を視認した被験者に最も近い色調２０ａ等を選択させる構成としても構わない。
【００４６】
次いで、ＳＴ８へ進む。ＳＴ８では、図６の「尿糖色調判断部（プログラム）１０９」が動作し、図９の端末側個人情報１０７ａの「尿糖情報」の「尿糖試験紙１１ｂ」の色調と「測定値対応色調表２０」の色調２０ｆ乃至２０ｊとを比較し、色調２０ｆ乃至２０ｊのいずれかの色調が最も近いかを判断する。そして、最も近い特定された色調２０ｆ等を、端末側個人情報１０７ａの尿糖情報の色調情報に記憶させる。
【００４７】
このように、本実施の形態では、被験者が尿をかけた尿糖試験紙１１ｂの色調と最も近い色調２０ｆ等を自動的に選択判断する。これら各色調２０ｆ等は、図２に示すように、その尿糖値と関連付けられているので、色調２０ｆ等を判断することで、尿糖の値も自動的に特定することが可能となっている。
この特定された尿糖の測定値は、後述するように、管理サーバ２００へ送信され、専門家である医師や薬剤師等の判断の参考とされる。
【００４８】
なお、本実施の形態では、カメラ付き携帯端末１００が、尿糖試験紙１１ｂの色調と最も近い色調２０ｆ等を測定値対応色調表２０から自動的に選択している。しかし、本発明はこれに限らず、カメラ付き携帯端末１００の端末側ディスプレイ１０１に、尿糖試験紙１１ｂの色調及び測定値対応色調表２０の色調２０ｆ等を同時に、又は各色調２０ｆ等を各別に順番に表示し、この表示を視認した被験者に最も近い色調２０ｂ等を選択させる構成としても構わない。
【００４９】
次いで、ＳＴ９へ進む。ＳＴ９では、図６の「高尿糖判断警告部（プログラム）１１０」が動作し、図９の端末側個人情報１０７ａの「尿糖情報」の「色調情報」が、色調２０ｉ又は色調２０ｊであるか否かが判断させる。
すなわち、尿糖の値が正常範囲を逸脱しているか否かを判断する。
【００５０】
ＳＴ９で、「尿糖情報」の「色調情報」が、色調２０ｉ又は色調２０ｊであると判断されたときは、端末側ディスプレイ１０１に、例えば、「糖尿病のおそれがあります。検査してください。」という警告が表示されると共に、図９の「端末側個人情報１０７ａ」のに高尿糖警報情報ありと記録される。
したがって、本実施の形態では、尿糖の値が正常範囲を超えている場合や数回の測定の平均が正常範囲を超えている場合は、その旨を被験者に迅速に知らせることができ、被験者が病院等へ行くことを促すこともできる。
【００５１】
次いで、ＳＴ１１へ進む。ＳＴ１１では、図１のカメラ付き携帯端末１００が、図９の端末側個人情報（当該被験者の「個人識別番号」を含む）を薬局に配置される管理サーバ２００へ送信し、ＳＴ１２で、図５の管理サーバ側個人情報記憶部２０５に記憶される。
この情報は、個人識別番号に基づき蓄積されるため、管理サーバ側個人情報記憶部２０５に尿たん白情報や尿糖情報が蓄積される。
したがって、このデータを出力して、医師や看護師等が検討することで、当該個人識別番号の被験者の測定値のトレンド（傾向）を把握でき、糖尿病や腎機能に関わる病気の治療の参考とすることができる。
【００５２】
また、この管理サーバ側個人情報記憶部２０に記憶されている尿たん白試験紙１１ａの色調や尿糖試験紙１１ｂの色調の画像は、それぞれ、最適のタイミングで撮像したデータである。さらに、その色調は、カメラ付き携帯端末１００のカメラの精度が高いため、その色調は精度良く再現される。
したがって、尿たん白情報及び尿糖情報の画像情報から医師等が正確に対応する色調ａ等を「測定値対応色調表２０」から爾後に選択し直す、又は、確認することができる。
このため、被験者が取得した尿のデータを有効且つ適切に利用することが可能となる。
【００５３】
なお、本実施の形態では、カメラ付き携帯端末１００に備わっているライトを照射して、尿たん白試験紙１１ａ等を撮像する構成とすることもできる。
この場合は、一定の明るさで撮像することができるので、当該尿たん白試験紙１１ａ等の色調が、測定値対応色調表２０のどの色調２０ａ等に対応する（色調が近い）か等をより精度良く判断することができる。
【００５４】
ところで、本発明は、上述の実施の形態に限定されない。本実施の形態では、管理サーバ２００は薬局に配置されているが、本発明はこれに限らず、病院等に配置されていても構わない。また、本実施の形態では、尿検査用スティック１０には、尿たん白試験紙１１ａと尿糖試験紙１１ｂ配置されているが、いずれか一つのみでもよく、また、他の生体情報の試験紙を有していても構わない。
カメラ付き携帯端末１００は、個人用にも病院用にも適用できるようにいずれで使用するかのモード選択機能を備えてもよい。
病院用の場合、バーゴード読取り部を設けて、患者（被検者）に装着されたり、ベツドサイドに設けられたバーコードを読み取り、当該患者名を特定し、端末側ディスプレイ１０１に表示させて確認した後、当該患者名も併せて、「端末側個人情報記憶部１０７」に「尿たん白情報」、「尿糖情報」として、その撮像日時情報と共に記憶させることができるようにするとよい。
【符号の説明】
【００５５】
１・・・尿試験情報管理システム、２・・・基地局、３・・・インターネット網、１０・・・尿検査用スティック、１１ａ・・・尿たん白試験紙、１１ｂ・・・尿糖試験紙、１００・・・カメラ付き携帯端末、２０・・・測定値対応色調表、２０ａ乃至２０ｊ・・・色調、３０・・・包装箱、３１・・・容器、３２・・・判定用情報、３３・・・尿検査用スティック配置部、３３ａ・・・尿たん白試験紙配置部、３３ｂ・・・尿糖試験紙配置部、３５・・・容器配置部、３６・・・尿検査用スティック保持部、１００・・・カメラ付き携帯端末、１０１・・・端末側ディスプレイ、１０２・・・撮像装置（カメラ）、１０３・・・端末制御部、１０４・・・端末側通信装置、１０５・・・計時装置、１０６・・・端末側入力装置、１０７・・・端末側個人情報記憶部、１０７ａ・・・端末側個人情報、１０８・・・尿たん白色調判断部（プログラム）、１０９・・・尿糖色調判断部（プログラム）、１１０・・・高尿糖判断警告部（プログラム）、２００・・・管理サーバ、２０１・・・管理サーバ制御部、２０２・・・管理サーバ側通信装置、２０３・・・管理サーバ側ディスプレイ、２０４・・・管理サーバ側入力装置、２０５・・・管理サーバ側個人情報記憶部
【図１】
2015187562.tif 000003
【図２】
2015187562.tif 000004
【図３】
2015187562.tif 000005
【図４】
2015187562.tif 000006
【図５】
2015187562.tif 000007
【図６】
2015187562.tif 000008
【図７】
2015187562.tif 000009
【図８】
2015187562.tif 000010
【図９】
2015187562.tif 000011